(57)【要約】【課題】玄関子機・親機間の幹線とＡＣ電源間に設けられた雷サージ対策用コネクタの接続忘れを回避する。【解決手段】カメラ付き玄関子機１から来訪者により呼び出されるとカメラ付き玄関子機で撮像された来訪者の映像を幹線２５を介してモニタ付き親機２のモニタ７で出画するテレビドアホン装置であって、幹線は、テレビドアホン装置の耐圧テスト工程完了後に接続される雷サージ対策用コネクタ２１ａ、２１ｂを介し雷サージ吸収用素子アレスタ１９を経由して電源１８へ接続され、耐圧テスト工程完了後に雷サージ対策用コネクタの接続忘れを回避するにあたり、雷サージ対策用コネクタが接続されているのを確認するため雷サージ対策用コネクタ及び雷サージ吸収用素子アレスタ間において幹線の電圧を検出する電圧検出用端子２２を設ける。【選択図】図１
2004297568.tif 000002
【特許請求の範囲】
【請求項１】
カメラ付き玄関子機（１）から来訪者により呼び出されると前記カメラ付き玄関子機で撮像された前記来訪者の映像を幹線（２５）を介してモニタ付き親機（２）のモニタ（７）で出画するテレビドアホン装置であって、
前記幹線は、前記テレビドアホン装置の耐圧テスト工程完了後に接続される雷サージ対策用コネクタ（２１ａ、２１ｂ）を介し雷サージ吸収用素子アレスタ（１９）を経由して電源（１８）へ接続され、
前記耐圧テスト工程完了後に前記雷サージ対策用コネクタの接続忘れを回避するにあたり、前記雷サージ対策用コネクタが接続されているのを確認するため前記雷サージ対策用コネクタ及び前記雷サージ吸収用素子アレスタ間において前記幹線の電圧を検出する電圧検出用端子（２２）を設けたことを特徴とするテレビドアホン装置。
【発明の詳細な説明】
【０００１】
【発明の属する技術分野】
本発明は、テレビドアホン装置に係わり、特に、玄関子機・親機間の幹線とＡＣ電源間に雷サージ対策用コネクタを接続したテレビドアホン装置に関する。
【０００２】
【従来の技術】
図２に示すように、従来、この種のテレビドアホン装置は、カメラ付き玄関子機５１とモニタ付き親機５２から構成され、玄関等に設置したカメラ付き玄関子機５１から送られる映像を室内に設置されるモニタ付き親機５２のモニタ５７に出画させ、室内の居住者が来訪者の映像を見て確認すると共に、カメラ付き玄関子機５１とモニタ付き親機５２のマイク６０とスピーカ５９で玄関の来訪者と通話を行うことができる。
【０００３】
モニタ付き親機５２は、カメラ付き玄関子機５１からの呼出を検出する１回目呼出検出回路６５、各ブロックを制御するＣＰＵ６６、カメラ付き玄関子機５１へ１８Ｖ電源を供給する子機電源供給回路６３、カメラ付き玄関子機５１からのＦＭ信号を受信する平衡−不平衡・７５Ω自動終端回路５３、ＦＭ信号を復調させる映像復調回路５４、映像信号を増幅する映像アンプ５５、後述のモニタ５７を駆動するモニタ駆動回路５６、映像を映し出すモニタ５７、再呼出を検出する２回目呼出回路６４、呼出音を増幅する拡声アンプ５８、呼出音を鳴動させるスピーカ５９、呼出音を増幅する外設スピーカアンプ６７、呼出音を鳴動させる外設スピーカ７４、通話するマイク６０、マイク音を増幅させるマイクアンプ７３、通話制御するボイススイッチ回路６１、４線２線変換するハイブリッド回路６２、雷サージ吸収用素子アレスタ６９、ＡＣコード７０により商用電源に接続される電源６８、雷サージ吸収用素子アレスタ６９と電源６８を接続するための雷サージ対策用コネクタ７１ａ、７１ｂから構成され、製造後、機器が高電圧に耐えるどうかの耐圧テストが課されて出荷される（例えば、特許文献１参照）。
【０００４】
このようなテレビドアホン装置において、カメラ付き玄関子機５１とモニタ付き親機５２を結ぶ幹線７５へ雷により高電圧ノイズが発生した場合、回路の破損を防ぐため雷サージ吸収用素子アレスタ６９で高電圧ノイズを吸収すると共に、高電圧ノイズをインピーダンスの低い電源６８へ逃がすことが行われる。
【０００５】
高電圧ノイズをインピーダンスの低い電源６８へ逃がすためには、幹線７５と電源６８との接続が不可欠であるが、接続した状態では耐圧テストを行うことができないため、テレビドアホン装置の耐圧テスト工程終了後に、コネクタ７１ａ、７１ｂを接続して幹線７５と電源６８を接続し、目視によりこのコネクタ７１ａ、７１ｂの接続確認が行なわれている。
【０００６】
【特許文献１】特開２００１−２４５０５９号公報  （図２、段落番号００４）。
【０００７】
【発明が解決しようとする課題】
しかしながら、従来のテレビドアホン装置は、このコネクタ７１ａ、７１ｂの接続確認を目視に頼っているため、耐圧テスト工程終了後の接続忘れを見逃しやすい。コネクタ７１ａ、７１ｂが接続されていなくても通常の動作には影響がないことから見落とされてコネクタ７１ａ、７１ｂが接続されないままの状態で製品化されることがしばしばあり、このため、幹線７５へ雷等により高電圧ノイズが発生した場合、ＡＣ電源６８へ逃がすことができないという難点があった。
【０００８】
本発明は、この難点を解決するためになされたもので、玄関子機・親機間の幹線とＡＣ電源間に設けた雷サージ対策用コネクタの接続忘れを回避したテレビドアホン装置を提供することを目的とする。
【０００９】
【課題を解決するための手段】
上記課題を解決するために、本発明によるテレビドアホン装置は、カメラ付き玄関子機から来訪者により呼び出されるとカメラ付き玄関子機で撮像された来訪者の映像を幹線を介してモニタ付き親機のモニタで出画するテレビドアホン装置であって、幹線は、テレビドアホン装置の耐圧テスト工程完了後に接続される雷サージ対策用コネクタを介し雷サージ吸収用素子アレスタを経由して電源へ接続され、耐圧テスト工程完了後に雷サージ対策用コネクタの接続忘れを回避するにあたり、雷サージ対策用コネクタが接続されているのを確認するため雷サージ対策用コネクタ及び雷サージ吸収用素子アレスタ間において幹線の電圧を検出する電圧検出用端子を設けたものである。
【００１０】
このようなテレビドアホン装置によれば、雷サージ対策用コネクタ及び雷サージ吸収用素子アレスタ間に電圧検出用端子を設けて電圧を検出することにより、雷サージ対策用コネクタの接続忘れを回避することができる。
【００１１】
【発明の実態の形態】
以下、本発明によるテレビドアホン装置の好ましい実施の形態例について図面を参照して詳述する。
【００１２】
本発明のテレビドアホン装置は、図１に示すように、カメラ付き玄関子機１から来訪者により呼び出されると、カメラ付き玄関子機１で撮像された来訪者の映像を幹線２５を介してモニタ付き親機２のモニタ７で出画させて来訪者の映像を見て確認すると共に、カメラ付き玄関子機１とモニタ付き親機２のマイク１０とスピーカ９で玄関の来訪者と通話を行うことができる。
【００１３】
モニタ付き親機２は、カメラ付き玄関子機１からの呼出を検出する１回目呼出検出回路１５、各ブロックを制御するＣＰＵ１６、カメラ付き玄関子機１へ１８Ｖ電源を供給する子機電源供給回路１３、カメラ付き玄関子機１からのＦＭ信号を受信する平衡−不平衡・７５Ω自動終端回路３、ＦＭ信号を復調させる映像復調回路４、映像信号を増幅する映像アンプ５、後述のモニタ７を駆動するモニタ駆動回路６、映像を映し出すモニタ７、再呼出を検出する２回目呼出回路１４、呼出音および通話音を増幅する拡声アンプ８、呼出音を鳴動させるとともに通話音を放音するスピーカ９、呼出音を増幅する外設スピーカアンプ１７、呼出音を鳴動させる外設スピーカ２４、通話するマイク１０、マイク音を増幅させるマイクアンプ２３、通話制御するボイススイッチ１１、４線２線変換するハイブリッド回路１２、ＡＣコード２０により商用電源に接続される電源１８、雷サージ吸収用素子アレスタ１９、テレビドアホン装置の耐圧テスト工程完了後に雷サージ吸収用素子アレスタ１９と幹線２５を接続するための雷サージ対策用コネクタ２１ａ、２１ｂ、雷サージ対策用コネクタ２１ａ、２１ｂが接続されているのを確認するため雷サージ対策用コネクタ２１ａ、２１ｂ及び雷サージ吸収用素子アレスタ１９間において幹線２５の電圧を検出する電圧検出用端子２２を備えている。
【００１４】
本発明のテレビドアホン装置では、雷サージ吸収用素子アレスタ１９は、電源１８に接続され、この雷サージ吸収用素子アレスタ１９は、雷サージ対策用コネクタ２１ａ、２１ｂを介して幹線２５に接続され、雷サージ対策用コネクタ２１ａ、２１ｂと雷サージ吸収用素子アレスタ１９の間に電圧検出端子２２が設けられている。
【００１５】
このように構成される本発明のテレビドアホン装置に対して、出荷前、機器が高電圧に耐えるどうかの耐圧テストが課される。この試験の際に雷サージ吸収用素子アレスタ１９が幹線２５に接続されていると、テスト用の高電圧の逃げ道になり、正しい試験ができないため、耐圧テスト後に雷サージ対策用コネクタ２１ａ、２１ｂを接続し、電源１８に接続されている雷サージ吸収用素子アレスタ１９を幹線２５に接続する。次に、雷サージ対策用コネクタ２１ａ、２１ｂが接続されていることを確認するために電圧検出端子２２で電圧をテストする。このテスト工程で電圧検出端子２２の電圧が、カメラ付き玄関子機供給電源電圧に等しければ、雷サージ対策用コネクタ２１ａ、２１ｂが接続されていることが確認できる。
【００１６】
この電圧検出端子２２における電圧測定を行なうことで、雷サージ対策用コネクタ２１ａ、２１ｂの接続忘れをなくすことができ、カメラ付き玄関子機１とモニタ付き親機２とを結ぶ幹線２５へ雷により高電圧ノイズが発生した場合でも、雷サージ吸収用素子アレスタ１９で高電圧ノイズを吸収すると共に、この高電圧ノイズをインピーダンスの低いＡＣ電源へ逃がして回路の破損を防ぐことができ、テレビドアホン装置の品質の維持がはかられる。
【００１７】
【発明の効果】
以上の説明から明らかなように、本発明によるテレビドアホン装置によれば、生産工程において耐圧テスト工程完了後に、電圧検出端子によって電圧を検出照合することで雷サージ対策用コネクタの接続忘れを容易に防止でき、目視工程が削減でき、工数低減とともに付け忘れが無くなることによって製品の品質維持が期待できる。
【図面の簡単な説明】
【図１】本発明によるテレビドアホン装置の一実施例を示すブロック図。
【図２】従来のテレビドアホン装置を示すブロック図。
【符号の説明】
１…カメラ付き玄関子機
１８…電源
１９…雷サージ吸収用素子アレスタ
２…モニタ付き親機
２１ａ、２１ｂ…雷サージ対策用コネクタ
２２…電圧検出用端子
２５…幹線
７…モニタ
【図１】
2004297568.tif 000003
【図２】
2004297568.tif 000004